(57)【要約】      （修正有）【課題】物品の３次元形状表面上に容易に取り付けることができる装飾シート、及びその製造方法の提供。【解決手段】装飾シート１は、物品の３次元形状表面に取り付けられる。この装飾シートは、物品の３次元形状表面に対応する３次元形状を有する成型一体構造を備える。成型一体構造は、主面１１ａおよび裏面１１ｂを有する装飾フィルム層１１と、装飾フィルム層の裏面側に設けられ、３次元形状を維持する形状維持フィルム層１３と、物品の３次元形状表面と向かい合うことになる接触面５と、接触面の少なくとも一部に設けられた第１接着層１４とを備える。【選択図】図４
2020100081.tif 000002
【特許請求の範囲】
【請求項１】
物品の３次元形状表面に取り付けられる装飾シートであって、
前記物品の前記３次元形状表面に対応する３次元形状を有する成型一体構造を備え、
前記成型一体構造が、
主面および裏面を有する装飾フィルム層と、
前記装飾フィルム層の前記裏面側に設けられ、前記３次元形状を維持する形状維持フィルム層と、
前記物品の３次元形状表面と向かい合うことになる接触面と、
前記接触面の少なくとも一部に設けられた第１接着層と
を備える、
装飾シート。
【請求項２】
前記第１接着層が前記接触面の全体に設けられる、
請求項１に記載の装飾シート。
【請求項３】
前記形状維持フィルム層が無延伸樹脂フィルムによって形成される、
請求項１または２に記載の装飾シート。
【請求項４】
前記成型一体構造が、前記第１接着層を被覆する剥離ライナー層をさらに備える、
請求項１〜３のいずれか一項に記載の装飾シート。
【請求項５】
前記剥離ライナー層が無延伸樹脂フィルムによって形成される、
請求項４に記載の装飾シート。
【請求項６】
前記剥離ライナー層に貼り付けられた粘着シールをさらに備え、
前記粘着シールが、
前記剥離ライナー層の端部からはみ出す余剰部と、
前記第１接着層よりも高い粘着力と
を備える、
請求項４または５に記載の装飾シート。
【請求項７】
前記形状維持フィルム層が、ポリエチレンテレフタレートおよびポリ塩化ビニルから成る群から選択される一つを用いて作製される、
請求項１〜６のいずれか一項に記載の装飾シート。
【請求項８】
前記形状維持フィルム層の厚さが０．１ｍｍ〜１．０ｍｍである、
請求項１〜７のいずれか一項に記載の装飾シート。
【請求項９】
前記形状維持フィルム層が、引張破断時の伸び率が５％以下のフィルムである、
請求項１〜８のいずれか一項に記載の装飾シート。
【請求項１０】
前記形状維持フィルム層が第２接着層によって前記装飾フィルム層に接合された、
請求項１〜９のいずれか一項に記載の装飾シート。
【請求項１１】
前記装飾フィルム層の前記主面が印刷面である、
請求項１〜１０のいずれか一項に記載の装飾シート。
【請求項１２】
前記装飾フィルム層の前記主面が凹凸を有する、
請求項１〜１１のいずれか一項に記載の装飾シート。
【請求項１３】
前記物品が、電気機器、電子機器、家具、文具、および携帯装飾品から成る群から選択される一つである、
請求項１〜１２のいずれか一項に記載の装飾シート。
【請求項１４】
前記物品が、加熱式たばこおよび電子たばこから成る群から選択される一つである、
請求項１３に記載の装飾シート。
【請求項１５】
物品の３次元形状表面に取り付けられる装飾シートの製造方法であって、
装飾フィルム層と、無延伸樹脂フィルム層と、第１接着層とをこの順に備える板状部材を用意する工程と、
前記板状部材を、前記物品の前記３次元形状表面に合わせて成型する工程と
を含む装飾シートの製造方法。
【請求項１６】
前記成型する工程が真空成型を含む、
請求項１５に記載の装飾シートの製造方法。
【請求項１７】
前記板状部材が、前記第１接着層を覆う剥離ライナー層をさらに備える、
請求項１５または１６に記載の装飾シートの製造方法。
【請求項１８】
前記板状部材が、装飾フィルム層と無延伸樹脂フィルム層とを接合する第２接着層をさらに備える、
請求項１５〜１７のいずれか一項に記載の装飾シートの製造方法。
【請求項１９】
前記無延伸樹脂フィルム層が、ポリエチレンテレフタレートおよびポリ塩化ビニルから成る群から選択される一つを用いて作製される、
請求項１５〜１８のいずれか一項に記載の装飾シートの製造方法。
【請求項２０】
前記無延伸樹脂フィルム層の厚さが０．１ｍｍ〜１．０ｍｍである、
請求項１５〜１９のいずれか一項に記載の装飾シートの製造方法。
【請求項２１】
前記無延伸樹脂フィルム層が、引張破断時の伸び率が５％以下のフィルムである、
請求項１５〜２０のいずれか一項に記載の装飾シートの製造方法。
【発明の詳細な説明】
【技術分野】
【０００１】
本開示の一側面は装飾シートに関する。
【背景技術】
【０００２】
物品の外観を装飾するための装飾シートが知られている。例えば特許文献１には、ハードコード層（Ａ）と、接着層（Ｄ）と、ベースフィルム層と、層（Ａ）および層（Ｄ）の間に必要に応じて意匠層を有する多層フィルムである多層装飾フィルムを真空成型により直接基体に貼り付ける方法が記載されている。
【先行技術文献】
【特許文献】
【０００３】
【特許文献１】国際公開第２０１２／０６５９６６号パンフレット
【発明の概要】
【発明が解決しようとする課題】
【０００４】
電子機器等の物品の表面に装飾シートを貼りつけることで、物品の外観を変更することができる。ユーザが自分で装飾シートを物品に貼り付けることで好みの外観に変更することもしばしば行われる。しかしながら、従来の装飾シートは伸張性のある薄くて柔らかいシートであり、ユーザにとって物品の３次元形状表面に貼り付けることは容易ではない。装飾シートが伸張し、皺が生じたり装飾シートと３次元形状表面との間に気泡が入ってしまったりする等の問題が生じやすい。そこで、物品の３次元形状表面上に容易に取り付けることができる装飾シートが望まれている。
【課題を解決するための手段】
【０００５】
本開示の一側面に係る装飾シートは、物品の３次元形状表面に取り付けられる。この装飾シートは、物品の３次元形状表面に対応する３次元形状を有する成型一体構造を備える。成型一体構造は、主面および裏面を有する装飾フィルム層と、装飾フィルム層の裏面側に設けられ、３次元形状を維持する形状維持フィルム層と、物品の３次元形状表面と向かい合うことになる接触面と、接触面の少なくとも一部に設けられた第１接着層とを備える。
【０００６】
このような側面においては、形状維持フィルム層によって、装飾シートが、物品の３次元形状表面に対応する３次元形状を維持するので、ユーザは装飾シートをそのまま物品の表面に取り付ければ済む。すなわち、物品の３次元形状表面上に装飾シートを容易に取り付けることができる。
【発明の効果】
【０００７】
本開示の一側面によれば、物品の３次元形状表面上に装飾シートを容易に取り付けることができる。
【図面の簡単な説明】
【０００８】
【図１】実施形態に係る装飾シートの利用の一例を示す図である。
【図２】実施形態に係る装飾シートを外面側から見た斜視図である。
【図３】実施形態に係る装飾シートを裏面側から見た斜視図である。
【図４】実施形態に係る装飾シートの層構造の一例を示す断面図である。
【図５】実施形態に係る板状部材の層構造の一例を示す断面図である。
【発明を実施するための形態】
【０００９】
以下、添付図面を参照しながら本開示での実施形態を詳細に説明する。なお、図面の説明において同一または同等の要素には同一の符号を付し、重複する説明を省略する。
【００１０】
［装飾シートの構成］
図１〜図４を参照しながら、実施形態に係る装飾シート１の構成を説明する。図１は装飾シート１の利用の一例を示す図である。図２は装飾シート１を外面側から見た斜視図である。図３は装飾シート１を裏面側から見た斜視図である。図４は装飾シート１の層構造の一例を示す断面図である。
【００１１】
装飾シート１は、物品の外観を装飾するために該物品の３次元形状表面に取り付けられるシート状の製品である。装飾シート１により装飾される物品は限定されず、装飾シート１は任意の物品に取り付けられてよい。例えば、その物品は、電気機器、電子機器、家具、文具、および携帯装飾品から選択されてもよい。一例として、物品は加熱式たばこ、電子たばこ、または携帯端末（例えば、携帯電話機、スマートフォンなど）から選択されてもよい。
【００１２】
装飾シート１は、物品の３次元形状表面に対応する３次元形状を有する成型一体構造を備える。物品の３次元形状表面とは、物品の外観を構成する面（すなわち外面）であって、平面ではない領域（言い換えると、二次元形状ではない領域）を含む面のことをいう。平面ではない領域は、例えば、凸部、凹部、屈曲部、曲面、傾斜などの任意の形状によって、またはこれらのような形状の２以上の組合せによって構成され得る。
【００１３】
「物品の３次元形状表面に対応する３次元形状」とは、物品の３次元形状表面の法線方向において該３次元形状表面と隙間無くまたはその隙間をほとんど生ずることなく、該３次元形状表面を覆う３次元形状のことをいう。したがって、「物品の３次元形状表面に対応する３次元形状」は、装飾シート１の接触面５（図３を参照）が、物品の３次元形状表面と同じかまたはほぼ同じ形状であると言い換えることができる。「物品の３次元形状表面に対応する３次元形状」は、装飾シート１の外面４（図２を参照）が物品の３次元形状表面と同じかまたはほぼ同じ形状であることを要件としない。物品の３次元形状表面に対応して、装飾シート１の３次元形状も、平面ではない領域（二次元形状ではない領域）を含み、例えば、凸部、凹部、屈曲部、曲面、傾斜などの任意の形状を含む。
【００１４】
「成型一体構造」とは、装飾シート１を構成する一体化された複数の構成要素（より具体的には、複数の層）を、成型加工により３次元構造体に成したものをいう。装飾シート１は、物品の３次元形状表面に対応する３次元形状を有する成型一体構造を備えるので、ユーザはその装飾シート１を物品の外面にぴったりと取り付けることができる。
【００１５】
図１は、二つの装飾シート１を用いて、物品９０の第１表面９１と、該第１表面９１の反対側に位置する第２表面９２とを装飾する例を示す。第１表面９１および第２表面９２のいずれも３次元形状表面である。この例では、二つの装飾シート１のいずれも、二つの部分に分かれている。本実施形態では便宜的に、大きい方の部分を第１シート部２といい、小さい方の部分を第２シート部３という。この例のように、装飾シート１は物品の構造または３次元形状表面に対応して２以上の部分に分割されてもよい。もちろん、装飾シート１は複数の部分に分割されることなく一つの部分だけで構成されてもよい。一つの物品９０に取り付けられる装飾シート１の個数は何ら限定されず、一つでもよいし、２以上でもよい。
【００１６】
図２および図３に示すように、装飾シート１は、物品に取り付けられた際に露出する外面４と、物品に取り付けられた際に該物品の３次元形状表面と向かいあう接触面（裏面）５とを備える。接触面５は、外面４の反対側に位置する面であるということもできる。接触面５の少なくとも一部には、装飾シート１を物品９０に確実に取り付けるための第１接着層１４が設けられる（図４を参照）。図３に示すように、装飾シート１はその第１接着層１４を被覆する剥離ライナー層１５をさらに備えてもよく、その剥離ライナー層１５に貼り付けられた粘着シール２０をさらに備えてもよい。粘着シール２０は、後述するように、装飾シート１から剥離ライナー層１５の引き剥がしを容易にする。
【００１７】
粘着シール２０は、成型一体構造１０とは別の部材である。粘着シール２０は、剥離ライナー層１５の端部からはみ出す余剰部を備える。図３の例では、粘着シール２０が二つの部分に分かれていることに対応して剥離ライナー層１５も二つの部分に分かれ、粘着シール２０はその二つの部分の境界を跨ぐように設けられる。本実施形態では便宜的に、第１シート部２に設けられた剥離ライナー層１５を第１ライナー部１５ａといい、第２シート部３に設けられた剥離ライナー層１５を第２ライナー部１５ｂという。また、第１ライナー部１５ａと重なる粘着シール２０の部分を第１シール部２１といい、第２ライナー部１５ｂと重なる粘着シール２０の部分を第２シール部２２という。第１ライナー部１５ａを基準に見た場合には第２シール部２２が余剰部に相当し、第２ライナー部１５ｂを基準に見た場合には第１シール部２１が余剰部に相当する。
【００１８】
図４に示すように、一例では、装飾シート１の成型一体構造１０は、装飾フィルム層１１、第２接着層１２、形状維持フィルム層１３、第１接着層１４、および剥離ライナー層１５をこの順に備える。
【００１９】
装飾フィルム層１１は、任意の視覚表現が施されるシート状の部材である。装飾フィルム層１１は、物品に取り付けられた際に露出する主面１１ａと、この主面１１ａの反対側の面である裏面１１ｂとを備える。主面１１ａは、装飾シート１の外面４として機能する。装飾フィルム層１１は透明であっても不透明であってもよく、着色されていてもよい。
【００２０】
装飾フィルム層１１に適用される視覚表現は限定されない。視覚表現はグラフィックであってもよく、例えば、文字、記号、図形、絵、色、写真、またはこれらの中の任意の２以上の要素から成る組合せであってもよい。グラフィックは主面１１ａ上にトナー、インクなどの着色剤を用いて形成することができる。グラフィックを印刷する手法および装置は限定されず、例えば、インクジェット印刷、グラビア印刷、静電印刷、スクリーン印刷、またはオフセット印刷であってもよい。印刷インクとして、溶剤系インクまたはＵＶ硬化型インクを用いることができる。グラフィックが印刷される場合には、主面１１ａは印刷面として機能する。あるいは、視覚表現は、エンボス加工またはデボス加工により形成された凹凸を有してもよい。この場合には、主面１１ａはその凹凸を有する。凹凸のパターンまたは模様は規則的でも不規則であってもよく、特に限定されないが、例えば、万線状、木目、砂目、石目、布目、梨地、皮絞、マット、ヘアライン、スピン、文字、記号、幾何学図形などでもよい。あるいは、視覚表現はグラフィックおよび凹凸の双方であってもよい。
【００２１】
装飾フィルム層１１を作製するための材料は限定されない。例えば、装飾フィルム層１１は、ポリメチルメタクリレート（ＰＭＭＡ）を含むアクリル樹脂、ポリウレタン（ＰＵ）、ポリ塩化ビニル（ＰＶＣ）、ポリカーボネート（ＰＣ）、ポリエチレン（ＰＥ）、ポリプロピレン（ＰＰ）などのポリオレフィン、ポリエチレンテレフタレート（ＰＥＴ）、ポリエチレンナフタレートなどのポリエステル、フッ素樹脂、エチレン−酢酸ビニル共重合体（ＥＶＡ）、エチレン−アクリル酸共重合体、エチレン−エチルアクリレート共重合体、エチレン−酢酸ビニル共重合体、アクリロニトリル−ブタジエンゴム（ＮＢＲ）、アクリロニトリル−ブタジエン−スチレン共重合体（ＡＢＳ）などの共重合体またはこれらの混合物を用いて作製されてもよい。
【００２２】
強度、耐衝撃性などの観点から、装飾フィルム層１１は、ポリウレタン、ポリ塩化ビニル、ポリエチレンテレフタレート、アクリロニトリル−ブタジエン−スチレン共重合体またはポリカーボネートを含んでもよい。装飾シート１を難燃性とするために、装飾フィルム層１１はポリ塩化ビニルを含んでもよい。
【００２３】
装飾フィルム層１１は単層であってもよく、複数の層の積層体であってもよい。装飾フィルム層１１は、可塑剤、充填材、酸化亜鉛、酸化チタンなどの顔料、酸化防止剤、紫外線吸収剤、熱安定剤、不燃性添加剤などの添加剤を含んでもよい。
【００２４】
装飾フィルム層１１は光輝層を有してもよい。光輝層は、装飾フィルム層１１にアルミニウム、ニッケル、金、白金、クロム、鉄、銅、スズ、インジウム、銀、チタニウム、鉛、亜鉛、ゲルマニウムなどの金属、これらの合金または化合物を含む、フレーク状または粉末状の金属を含んでもよい。
【００２５】
装飾フィルム層１１は、主面１１ａを覆う表面保護層を有してもよい。表面保護層は、ポリエチレンテレフタレート（ＰＥＴ）などのポリエステル、ポリ塩化ビニル、ポリイミド、ポリウレタン、アクリル樹脂、エポキシ樹脂、フッ素樹脂などの樹脂のフィルムを主面１１ａ上に直接または接合層を介して積層することによって、あるいは樹脂組成物を主面１１ａに塗布して乾燥することによって形成することができる。表面保護層には、目的とする用途に応じて光沢仕上げまたは艶消し仕上げを施してもよい。
【００２６】
装飾フィルム層１１として、それ自体では形状維持機能を有さず、剛性のないフレキシブルな従来の装飾フィルムを使用することもできる。例えば、装飾フィルム層１１として、スリーエム社製のダイノック（商標）フィルムまたはラップフィルム  シリーズ１０８０が用いられてもよい。もちろん、装飾フィルム層１１は他の製品を用いて構成されてもよい。
【００２７】
装飾フィルム層１１の厚さは限定されない。例えば、その厚さの下限は０．１ｍｍであってもよく、その厚さの上限は０．２ｍｍでもよい。このような装飾フィルム層１１の厚さは、装飾シート１または装飾フィルム層１１の取扱いの容易性を考慮して決めてもよい。
【００２８】
形状維持フィルム層１３は、装飾フィルム層１１の裏面１１ｂの側に設けられるシート状の部材である。形状維持フィルム層１３は、物品の３次元形状表面と向かい合うことになる接触面５を備え、これは、成型一体構造１０がその接触面５を備えることを意味する。この形状維持フィルム層１３は物品の３次元形状表面に対応する３次元形状を維持する。「３次元形状を維持する」とは、製造された形状維持フィルム層の３次元形状が、環境温度下であって且つ形状維持フィルム層に外力が加えられていない状態（本開示ではこれを「自然状態」という。）において維持されることをいう。すなわち、形状維持フィルム層１３は、成型された３次元形状を維持する適度な剛性を有し、物品に装飾シート１を貼り付ける際に、容易に伸展しない。形状維持フィルム層１３の３次元形状はある程度の外力が加わることで変形してもよく、したがって、形状維持フィルム層１３は柔軟性を有してもよい。その外力が取り除かれると、形状維持フィルム層１３は元の３次元形状（すなわち、製造時の３次元形状）を回復することができる。このように、形状維持フィルム層１３は、成型された３次元形状を維持する剛性を有することにより、容易に実装することができる。
【００２９】
３次元形状を維持する形状維持フィルム層１３を得るために、この形状維持フィルム層１３は無延伸樹脂フィルムであり得る。延伸樹脂フィルムは、製造工程時に延伸されたフィルムであり、延伸により分子が軸方向あるいは面方向に配向しており、結晶化されている。これに対し、無延伸樹脂フィルムは、例えば、キャスト製法等で製造された、製造時に延伸されていないフィルムであり、一定方向に揃った分子配向が存在せず、分子がランダム配向の状態にあり、結晶化されていない。このため、無延伸樹脂フィルムは、比較的低温での成型性に優れる。
【００３０】
３次元形状を維持できる限り、形状維持フィルム層１３の材料は限定されない。例えば、形状維持フィルム層１３は、ポリエチレンテレフタレートおよびポリ塩化ビニルから成る群から選択される一つを用いて作製されてもよい。より具体的には、形状維持フィルム層１３は、ポリエチレンテレフタレートおよびポリ塩化ビニルから成る群から選択される一つを用いて作製された無延伸樹脂フィルムであってもよい。形状維持フィルム層１３は、可塑剤、充填材、ガラス繊維などの強化剤、酸化亜鉛、酸化チタンなどの顔料、酸化防止剤、紫外線吸収剤、熱安定剤、不燃性添加剤などの添加剤を含んでもよい。
【００３１】
形状維持フィルム層１３の厚さは限定されない。例えば、その厚さの下限は０．１ｍｍ、０．２ｍｍ、０．３ｍｍ、０．４ｍｍ、０．５ｍｍ、または０．６ｍｍであってもよく、その厚さの上限は、例えば１．０ｍｍ、０．９ｍｍ、０．８ｍｍまたは０．７ｍｍでもよい。このような装飾フィルム層１１の厚さは、装飾シート１または形状維持フィルム層１３の、取扱いまたは加工の容易性を考慮して決めてもよい。
【００３２】
形状維持フィルム層１３を構成するフィルムには、装飾フィルム等と比較して、容易に伸張しないフィルムを用いてもよい。形状維持フィルム層１３については、引っ張り強度試験において、フィルム破断時の伸び率（引張破断時の伸び率）が５％以下、４％以下、または３％以下であってもよい。ここで、本開示における引っ張り強度試験とは、２５ｍｍ幅のフィルムを１００ｍｍの間隔をおいて試験機でつかみ、常温（２５℃）下で引っ張り速度３００ｍｍ／ｍｉｎで引っ張る試験のことをいう。ＰＥＴフィルムおよびポリ塩化ビニルフィルムのいずれも、引張破断時の伸び率が約５％以下であり、形状維持フィルム層１３を構成するフィルムとして使用できる。
【００３３】
したがって、装飾シート１を物品に貼り付ける際に、形状維持フィルム層１３が容易に伸展せず、成型された形状を維持する。これにより、装飾シート１も形状を維持して伸展せず、皴等の発生が抑制でき、装飾シート１の貼り付けが容易になる。
【００３４】
第２接着層１２は、装飾フィルム層１１と形状維持フィルム層１３とを接合する層である。第２接着層１２は装飾フィルム層１１の裏面１１ｂの少なくとも一部、またはその裏面１１ｂと向かい合う形状維持フィルム層１３の接合面の少なくとも一部に設けられる。この第２接着層１２によって形状維持フィルム層１３が装飾フィルム層１１に接合され、この結果、装飾フィルム層１１と形状維持フィルム層１３とが一体化される。上述したように、形状維持フィルム層１３は３次元形状を維持するので、形状維持フィルム層１３と一体化された装飾フィルム層１１もその３次元形状を維持する。
【００３５】
第１接着層１４は、接触面５の少なくとも一部に設けられる層である。装飾シート１はこの第１接着層１４によって物品の３次元形状表面に貼り付けられる。第１接着層１４は接触面５の全体に設けられてもよい。
【００３６】
第１接着層１４および第２接着層１２の材料は限定されない。例えば、感圧接着剤または感熱接着剤が第１接着層１４または第２接着層１２として用いられてもよい。
【００３７】
第１接着層１４または第２接着層１２に用いられる感圧接着剤として、例えば、アクリル系感圧接着剤が挙げられる。アクリル系感圧接着剤は、粘着性アクリル系ホモポリマーおよびコポリマーから成る群より選択される少なくとも１種の粘着性アクリル系ポリマーを含む。例えば、アクリル系感圧接着剤は、メチルアクリレート、ブチルアクリレート、イソアミルアクリレート、イソオクチルアクリレート、２−エチルヘキシルアクリレート、アクリル酸、メタクリル酸、アクリルアミド、メタクリルアミド、アクリロニトリル、およびエタクリロニトリルから成る群より選択されるモノマーの粘着性ホモポリマーまたは２種以上のこれらモノマーの粘着性コポリマーを含む。
【００３８】
粘着性ホモポリマーおよびコポリマーは、上記モノマー、または上記モノマーの混合物を、通常のラジカル重合方法、例えば溶液重合、懸濁重合、乳化重合、塊状重合などを用いて重合することにより得ることができる。重合開始剤として、過酸化ベンゾイル、ラウロイルペルオキシド、ビス（４−ｔｅｒｔ−ブチルシクロヘキシル）ペルオキシジカーボネートなどの有機過酸化物、２，２’−アゾビスイソブチロニトリル、２，２’−アゾビス（２−メチルブチロニトリル）、ジメチル−２，２−アゾビス（２−メチルプロピオネート）、４，４’−アゾビス（４−シアノバレリアン酸）、２，２’−アゾビス（２−メチルプロピオン酸）ジメチル、アゾビス（２，４−ジメチルバレロニトリル）（ＡＶＮ）などのアゾ系重合開始剤などを用いることができる。
【００３９】
一実施態様では、粘着性ホモポリマーまたはコポリマーの重量平均分子量の下限は約２０万または約４０万でもよく、その上限は約１００万または約７０万でもよい。粘着性ホモポリマーまたはコポリマーの重量平均分子量は、ＧＰＣ（ゲルパーミエーションクロマトグラフ）法により標準ポリスチレンを用いて決定される。
【００４０】
粘着性アクリル系ポリマーは架橋剤で架橋されてもよい。架橋剤として、イソシアネート化合物、メラミン化合物、ポリ（メタ）アクリレート化合物、エポキシ化合物、アミド化合物、ビスアミド化合物、例えば、１，１’−イソフタロイル−ビス（２−メチルアジリジン）などの二塩基酸のビスアジリジン誘導体などが使用できる。架橋剤として、イソシアネート化合物（例えば、ヘキサメチレンジイソシアネート）を用いてもよいし、ビスアミド化合物（例えば、１，１’−イソフタロイル−ビス（２−メチルアジリジン）を用いてもよい。架橋剤の添加量は架橋剤の種類にもよるが、アクリル系感圧接着剤１００質量部に対して、通常０．１質量部以上１０質量部以下である。
【００４１】
第１接着層１４および第２接着層１２の双方について厚さは限定されない。例えば厚さの下限は、例えば１０μｍまたは２０μｍでもよく、その上限は２００μｍまたは１００μｍでもよい。
【００４２】
剥離ライナー層１５は、上述したように、第１接着層１４を被覆する層であり、これにより、装飾シート１を物品の３次元形状表面に貼る直前まで第１接着層１４の粘着力を維持することができる。装飾シート１が物品の３次元形状表面に貼られる際には、この剥離ライナー層１５は第１接着層１４から剥がされる。
【００４３】
第１接着層１４をより確実に保護するために、第１接着層１４を被覆している剥離ライナー層１５は、形状維持フィルム層１３と同じかまたはほぼ同じ３次元形状を有してもよい。その３次元形状を維持するために、剥離ライナー層１５は無延伸樹脂フィルムであってもよい。３次元形状を維持する剥離ライナー層１５を得るために、剥離ライナー層１５は、ポリプロピレン、ポリエチレンテレフタレート、およびポリ塩化ビニルから成る群から選択される一つを用いて作製されてもよい。例えば、剥離ライナー層１５は、ポリプロピレン、ポリエチレンテレフタレート、およびポリ塩化ビニルから成る群から選択される一つを用いて作製された無延伸樹脂フィルムであってもよい。ただし、剥離ライナー層１５の材料はこれらの例に限定されるものではなく、例えば紙でもよい。第１接着層１４を被覆している剥離ライナー層１５は３次元形状を維持しなくてもよい。
【００４４】
剥離ライナー層１５に貼られた粘着シール２０の粘着力は、第１接着層１４の粘着力よりも高い。したがって、ユーザが粘着シール２０を形状維持フィルム層１３から離すように該粘着シール２０を引っ張ると、剥離ライナー層１５がその粘着シール２０に引っ張られて第１接着層１４から剥がれる。このように粘着シール２０の粘着力を第１接着層１４よりも高くすることで、粘着シール２０を用いて剥離ライナー層１５を第１接着層１４から簡単に剥がすことができる。
【００４５】
上記のような粘着力を有する粘着シール２０の粘着層の材料は、第１接着層１４および第２接着層１２と同様に任意に選択されてよい。材料を適切に選択し、個々の成分の重量比、粘着層の厚さなどの諸要素を調整することで、第１接着層１４よりも高い粘着力を有する粘着シール２０を作製することができる。
【００４６】
［装飾シートの製造方法］
図５を参照しながら、装飾シート１の製造方法を説明する。図５は、装飾シート１を製造するために用いられる板状部材３０の層構造の一例を示す図である。
【００４７】
まず、製造者は、成型一体構造１０に対応する板状部材３０を用意する。図４に示す成型一体構造１０を備える装飾シート１を作製する場合には、図５に示すように、板状部材３０は、装飾フィルム層１１、第２接着層１２、無延伸樹脂フィルム層３１、第１接着層１４、および剥離ライナー層１５をこの順に備える。
【００４８】
無延伸樹脂フィルム層３１は、一連の製造工程を経て形状維持フィルム層１３になる層である。したがって、無延伸樹脂フィルム層３１は、ポリエチレンテレフタレートおよびポリ塩化ビニルから成る群から選択される一つを用いて作製されてもよい。無延伸樹脂フィルム層３１の厚さの下限は０．１ｍｍ、０．２ｍｍ、０．３ｍｍ、０．４ｍｍ、０．５ｍｍ、または０．６ｍｍであってもよく、その厚さの上限は、例えば１．０ｍｍ、０．９ｍｍ、０．８ｍｍまたは０．７ｍｍでもよい。無延伸樹脂フィルム層３１についても、上記の引っ張り強度試験において引張破断時の伸び率が５％以下、４％以下、または３％以下であってもよい。上述したように、ＰＥＴフィルムおよびポリ塩化ビニルフィルムのいずれも、引張破断時の伸び率が約５％以下であり、無延伸樹脂フィルム層３１を構成するフィルムとして使用できる。
【００４９】
続いて、製造者はその板状部材３０を物品の３次元形状表面に合わせて成型することで装飾シート１を得る。成型の手法は限定されないが、例えば真空成型が用いられてもよい。真空成型とは、板状の熱可塑性部材を加熱し、加熱されたその板状部材を型に合わせて真空吸引を行うことで、所望の形状の製品または部品を得る手法である。板状部材と型との間を真空にして該板状部材を型に密着させることで、型で規定された形状が得られる。物品の３次元形状表面に合わせて用意される型は、平面ではない領域（二次元形状ではない領域）を含み、例えば、凸部、凹部、屈曲部、曲面、傾斜などの任意の形状を含む。板状部材３０に対して真空成型を施す際のヒータの温度は、加熱による無延伸樹脂フィルム層３１の温度が所定の値になるように設定されてもよく、例えば、無延伸樹脂フィルム層３１の属性（例えば、材料、性質、または特性）に応じて設定されてもよい。一例として、無延伸樹脂フィルム層３１がポリエチレンテレフタレートを用いて作製される場合には、無延伸樹脂フィルム層３１の温度が１００℃になるようにヒータの温度が設定されてもよい。無延伸樹脂フィルム層３１がポリ塩化ビニルを用いて作製される場合には、無延伸樹脂フィルム層３１の温度が８０℃になるようにヒータの温度が設定されてもよい。無延伸樹脂フィルム層３１を採用することで、比較的低温の条件で３次元構造を有する成型形状に対して良好な追従性を示し、且つ高い精度の成型一体構造を持つ装飾シート１を得ることができる。
【００５０】
真空成型などの成型工程によって、物品の３次元形状表面に対応する３次元形状を有する成型一体構造１０が得られる。所望の形状が得られた板状部材３０（成型一体構造１０）は冷却される。その後、必要に応じてカッティング、粘着シール２０の取り付けなどのさらなる加工が行われてもよい。いずれにしても、板状部材３０を用意する工程と、その板状部材３０を物品の３次元形状表面に合わせて成型する工程とを含む製造方法により、装飾シート１を製造することができる。
【００５１】
［装飾シートの使用方法］
装飾シート１を物品の３次元形状表面に取り付ける際には、ユーザは剥離ライナー層１５を剥がして第１接着層１４を露出させた上で装飾シート１をその表面に貼る。装飾シート１の３次元形状は物品の３次元形状表面に対応し、且つその３次元形状が形状維持フィルム層１３によって維持されるので、ユーザは、装飾シート１に皺が生じたり装飾シート１と物品表面に気泡が入ったりすることを心配することなく、装飾シート１を簡単に物品の３次元形状表面に貼ることができる。
【００５２】
装飾シート１が粘着シール２０を備える場合には、この粘着シール２０は余剰部を備えるので、ユーザはその余剰部をつまんで引っ張ることで、剥離ライナー層１５を簡単に剥がすことができる。図１〜図３の例のように装飾シート１が複数の部分で構成される場合には、ユーザは装飾シート１の第１部分（例えば第１シート部２）を持って第２部分の剥離ライナー層１５（例えば、第２シート部３に対応する第２ライナー部１５ｂ）を引っ張ることでその剥離ライナー層１５を剥がす。これにより、該第２部分の第１接着層１４が露出するので、ユーザはその第２部分を物品の３次元形状表面に貼ることができる。第１接着層１４よりも高い粘着力を有する粘着シール２０は剥離ライナー層１５に貼られたままである。したがって、ユーザはその粘着シール２０をつまんで引っ張ることで第１部分の剥離ライナー層１５（例えば、第１シート部２に対応する第１ライナー部１５ａ）を剥がし、その第１部分を物品の３次元形状表面に貼ることができる。いずれにしても、粘着シール２０によって、ユーザは剥離ライナー層１５を簡単に剥がすことができる。
【００５３】
以上説明したように、本開示の一側面に係る装飾シートは、物品の３次元形状表面に取り付けられる。この装飾シートは、物品の３次元形状表面に対応する３次元形状を有する成型一体構造を備える。成型一体構造は、主面および裏面を有する装飾フィルム層と、装飾フィルム層の裏面側に設けられ、３次元形状を維持する形状維持フィルム層と、物品の３次元形状表面と向かい合うことになる接触面と、接触面の少なくとも一部に設けられた第１接着層とを備える。
【００５４】
このような側面においては、形状維持フィルム層によって、装飾シートが、物品の３次元形状表面に対応する３次元形状を維持するので、ユーザは装飾シートをそのまま物品の表面に取り付ければ済む。物品の形状（例えば曲面）に合わせてフィルムを部分的に引き伸ばす等の作業が不要になるため、貼り付け作業に習熟していないユーザであっても物品の３次元形状表面上に装飾シートを容易に且つきれいに取り付けることができる。
【００５５】
他の側面に係る装飾シートでは、第１接着層が接触面の全体に設けられてもよい。この場合には、装飾シートをより確実に物品の３次元形状表面に取り付けることができる。
【００５６】
他の側面に係る装飾シートでは、形状維持フィルム層が無延伸樹脂フィルムによって形成されてもよい。この場合には、物品の３次元形状表面に合う成型一体構造を容易に実現することができる。
【００５７】
他の側面に係る装飾シートでは、成型一体構造が、第１接着層を被覆する剥離ライナー層をさらに備えてもよい。剥離ライナー層も成型一体構造に取り込まれるので、この剥離ライナー層によって第１接着層をより確実に保護することができる。
【００５８】
他の側面に係る装飾シートでは、剥離ライナー層が無延伸樹脂フィルムによって形成されてもよい。この場合には、物品の３次元形状表面に合う成型一体構造を容易に実現することができる。
【００５９】
他の側面に係る装飾シートでは、剥離ライナー層に貼り付けられた粘着シールをさらに備え、粘着シールが、剥離ライナー層の端部からはみ出す余剰部と、第１接着層よりも高い粘着力とを備えてもよい。余剰部が存在することでユーザは粘着シールを容易につまむことができる。また、粘着シールは第１接着層よりも高い粘着力を備えるので、粘着シールを引っ張ることで剥離ライナー層がその粘着シールに引っ張られて第１接着層から離れる。したがって、この粘着シールによって、剥離ライナー層を第１接着層から剥がすことがより容易になる。
【００６０】
他の側面に係る装飾シートでは、形状維持フィルム層が、ポリエチレンテレフタレートおよびポリ塩化ビニルから成る群から選択される一つを用いて作製されてもよい。これらの材料が用いられることで、３次元形状をしっかりと維持する形状維持フィルム層を得ることができる。
【００６１】
他の側面に係る装飾シートでは、形状維持フィルム層の厚さが０．１ｍｍ〜１．０ｍｍであってもよい。このように厚さを設定することで、装飾シートまたは形状維持フィルム層の、取扱いまたは加工が容易になり得る。
【００６２】
他の側面に係る装飾シートでは、形状維持フィルム層が、引張破断時の伸び率が５％以下のフィルムであってもよい。この場合には、形状維持フィルム層が容易に伸展せず、成型された形状を維持するので、装飾シート１も形状を維持して伸展しない。したがって装飾シートの貼り付けが容易になる。
【００６３】
他の側面に係る装飾シートでは、形状維持フィルム層が第２接着層によって装飾フィルム層に接合されてもよい。この構成によって、物品の３次元形状表面に対応する装飾フィルム層の３次元形状を、形状維持フィルム層によってさらに確実に維持することができる。
【００６４】
他の側面に係る装飾シートでは、装飾フィルム層の主面が印刷面であってもよい。この場合には、物品の外観を印刷によって装飾することができる。
【００６５】
他の側面に係る装飾シートでは、装飾フィルム層の主面が凹凸を有してもよい。この場合には、物品の外観を凹凸によって装飾することができる。
【００６６】
他の側面に係る装飾シートでは、物品が、電気機器、電子機器、家具、文具、および携帯装飾品から成る群から選択される一つであってもよい。この場合には、電気機器、電子機器、家具、文具、または携帯装飾品の３次元形状表面上に装飾シートを容易に取り付けることができる。
【００６７】
他の側面に係る装飾シートでは、物品が、加熱式たばこおよび電子たばこから成る群から選択される一つであってもよい。この場合には、加熱式たばこまたは電子たばこの３次元形状表面上に装飾シートを容易に取り付けることができる。
【００６８】
本開示の一側面に係る装飾シートの製造方法は、物品の３次元形状表面に取り付けられる装飾シートの製造方法である。この製造方法は、装飾フィルム層と、無延伸樹脂フィルム層と、第１接着層とをこの順に備える板状部材を用意する工程と、板状部材を、物品の３次元形状表面に合わせて成型する工程とを含む。
【００６９】
このような側面においては、無延伸樹脂フィルム層を含む板状部材が用いられるので、物品の３次元形状表面に合う成型一体構造を備える装飾シートを容易に製造することができる。
【００７０】
他の側面に係る装飾シートの製造方法では、成型する工程が真空成型を含んでもよい。真空成型を採用することで、物品の３次元形状表面に合った装飾シートをより確実に製造することができる。
【００７１】
他の側面に係る装飾シートの製造方法では、板状部材が、第１接着層を覆う剥離ライナー層をさらに備えてもよい。この場合には、剥離ライナー層も成型一体構造に取り込まれるので、この剥離ライナー層によって第１接着層をより確実に保護することができる。
【００７２】
他の側面に係る装飾シートの製造方法では、板状部材が、装飾フィルム層と無延伸樹脂フィルム層とを接合する第２接着層をさらに備えてもよい。この構成によって、物品の３次元形状表面に対応する装飾フィルム層の３次元形状をより確実に維持することができる。
【００７３】
他の側面に係る装飾シートの製造方法では、無延伸樹脂フィルム層が、ポリエチレンテレフタレートおよびポリ塩化ビニルから成る群から選択される一つを用いて作製されてもよい。これらの材料が用いられることで、３次元形状をしっかりと維持する装飾シートを得ることができる。
【００７４】
他の側面に係る装飾シートの製造方法では、無延伸樹脂フィルム層の厚さが０．１ｍｍ〜１．０ｍｍであってもよい。このように厚さを設定することで、装飾シートまたは無延伸樹脂フィルム層の、取扱いまたは加工が容易になり得る。
【００７５】
他の側面に係る装飾シートの製造方法では、無延伸樹脂フィルム層が、引張破断時の伸び率が５％以下のフィルムであってもよい。この場合には、容易に伸展せず、且つ成型された形状を維持する形状維持フィルム層を得ることができる。
【００７６】
以上、本開示をその実施形態に基づいて詳細に説明した。しかし、本開示は上記実施形態に限定されるものではない。本開示は、その要旨を逸脱しない範囲で様々な変形が可能である。
【００７７】
上記実施形態では、装飾シート１の成型一体構造１０が装飾フィルム層１１、第２接着層１２、形状維持フィルム層１３、第１接着層１４、および剥離ライナー層１５をこの順に備えたが、成型一体構造の構成はこれに限定されない。例えば、任意の２層間に他の層が重ねられてもよい。あるいは、第２接着層１２が省略されてもよいし、第２接着層１２に代えて別の層が重ねられてもよい。あるいは、剥離ライナー層１５が省略されてもよいし、剥離ライナー層１５に代えて別の層が重ねられてもよい。成型一体構造が剥離ライナー層を含まない場合には、剥離ライナー層は成型一体構造とは別の構成要素として装飾シートに設けられてもよい。上述したように粘着シートは必須の構成要素ではない。
【００７８】
このような成型一体構造の変形例に対応して、板状部材の構成も上記実施形態に限定されない。例えば、任意の２層間に他の層が重ねられてもよい。あるいは、第２接着層１２が省略されてもよいし、第２接着層１２に代えて別の層が重ねられてもよい。あるいは、剥離ライナー層１５が省略されてもよいし、剥離ライナー層１５に代えて別の層が重ねられてもよい。板状部材が剥離ライナー層を含まない場合には、製造方法は、板状部材を物品の３次元形状表面に合わせて成型することで得られた成型一体構造に剥離ライナー層を取り付ける工程をさらに含んでもよい。
【００７９】
上記実施形態では装飾シート１が成型一体構造１０および粘着シール２０を備えるが、成型一体構造そのものがそのまま装飾シートとして提供されてもよい。
【符号の説明】
【００８０】
１…装飾シート、５…接触面、１０…成型一体構造、１１…装飾フィルム層、１１ａ…主面、１１ｂ…裏面、１２…第２接着層、１３…形状維持フィルム層、１４…第１接着層、１５…剥離ライナー層、２０…粘着シール、２１…第１シール部（余剰部）、２２…第２シール部（余剰部）、３０…板状部材、３１…無延伸樹脂フィルム層、９０…物品。
【図１】
2020100081.tif 000003
【図２】
2020100081.tif 000004
【図３】
2020100081.tif 000005
【図４】
2020100081.tif 000006
【図５】
2020100081.tif 000007